(57)【要約】  本発明にかかる内視鏡用光源装置は、内視鏡に供給する第１の光を出射する第１の発光部と、第１の光と同じ色成分、かつ第１の発光部よりも調光分解能が低い第２の光を出射する第２の発光部であって、第１の光とともに内視鏡に供給する第２の光を出射する第２の発光部と、内視鏡に光を供給する際、第１の発光部に第１の光を出射させた後、該第１の発光部に第１の光を出射させた状態で、設定された光量に応じて第２の発光部に第２の光を出射させる照明制御部と、を備える。
2020003601.tif 000002
【特許請求の範囲】
【請求項１】
内視鏡に供給する第１の光を出射する第１の発光部と、
前記第１の光と同じ色成分、かつ第１の発光部よりも調光分解能が低い第２の光を出射する第２の発光部であって、前記第１の光とともに前記内視鏡に供給する第２の光を出射する第２の発光部と、
前記内視鏡に光を供給する際、前記第１の発光部に前記第１の光を出射させた後、該第１の発光部に前記第１の光を出射させた状態で、設定された光量に応じて前記第２の発光部に前記第２の光を出射させる照明制御部と、
を備えることを特徴とする内視鏡用光源装置。
【請求項２】
前記第１の発光部は、前記第１の光をそれぞれ出射する第１および第２の光源を有し、
前記照明制御部は、前記第１および第２の光源の少なくとも一方の光源を点灯させて前記第１の光を前記内視鏡に供給する
ことを特徴とする請求項１に記載の内視鏡用光源装置。
【請求項３】
前記第２の発光部は、互いに異なる複数の部分発光部を有し、
前記照明制御部は、前記内視鏡に光を供給する際には、前記第１の発光部に前記第１の光を出射させた後、設定された光量に応じて、予め設定された順に、前記部分発光部の光源を点灯させて前記第２の光を出射させ、前記内視鏡への光の供給を停止する際には、点灯順とは逆の順に、前記部分発光部の光源を消灯させた後、前記第１の発光部に前記第１の光を消灯させる
ことを特徴とする請求項１に記載の内視鏡用光源装置。
【請求項４】
前記照明制御部は、各部分発光部における光源の点灯時間が平準化する順に、各光源の点灯および消灯を制御する
ことを特徴とする請求項３に記載の内視鏡用光源装置。
【請求項５】
前記第１の発光部は、前記第１の光を出射する複数の半導体レーザーを有し、
前記第２の発光部は、各々が前記第２の光を出射する半導体レーザーを有する
ことを特徴とする請求項３に記載の内視鏡用光源装置。
【請求項６】
前記第２の発光部は、互いに異なる複数の部分発光部を有し、
前記照明制御部は、前記内視鏡に光を供給する際、前記第１の発光部に前記第１の光を出射させた後、前記複数の部分発光部における稼動率に応じて当該複数の部分発光部における点灯順を入れ替えた前記第２の光を出射させる
ことを特徴とする請求項１に記載の内視鏡用光源装置。
【請求項７】
内視鏡に供給する第１の光を出射する第１の発光部と、
前記第１の光と同じ色成分の第２の光を出射する、互いに異なる複数の部分発光部を有し、前記第１の光とともに前記第２の光を前記内視鏡に供給する第２の発光部と、
前記内視鏡に光を供給する際、前記第１の発光部に前記第１の光を出射させた後、前記複数の部分発光部における稼動率に応じて当該複数の部分発光部における点灯順を入れ替えた前記第２の光を出射させる照明制御部と、
を備えることを特徴とする内視鏡用光源装置。
【発明の詳細な説明】
【技術分野】
【０００１】
本発明は、内視鏡用光源装置に関する。
【背景技術】
【０００２】
従来、医療分野においては、被検体内部の観察のために内視鏡システムが用いられている。内視鏡は、一般に、患者等の被検体内に細長形状をなす可撓性の挿入部を挿入し、この挿入部先端から光源装置によって供給された照明光を照明し、この照明光の反射光を挿入部先端の撮像部で受光することによって体内画像を撮像する。内視鏡の撮像部によって撮像された体内画像は、内視鏡システムの処理装置において所定の画像処理を施された後に、内視鏡システムのディスプレイに表示される。医師等のユーザは、ディスプレイに表示される体内画像に基づいて、被検体の臓器を観察する。【０００３】
照明光を出射する光源装置において、光量制御のダイナミックレンジを拡大するために、同じ光を発する光源を複数個設けた光源装置が知られている（例えば、特許文献１を参照）。また、特許文献１では、各光源の累積発光時間に基づいて光源の発光順を決定している。
【先行技術文献】
【特許文献】
【０００４】
【特許文献１】特開２０１２−２４５３４９号公報
【発明の概要】
【発明が解決しようとする課題】
【０００５】
ところで、内視鏡は、被検体内に挿入され、その被検体内の外光が届かない暗いシーンを撮像するため、シーンに応じて照明光の光量を切り替えている。上述した特許文献１では、累積発光時間によって、発光する光源の配置、特に最初に発光する光源が変わる。このため、光源の配置や、光源の光特性の個体差によって、照明光の光特性が都度変化してしまうおそれがあった。特に、外光が届かない暗いシーンでは、この照明光の光特性の変化は、画像に与える影響が大きい。【０００６】
本発明は、上記に鑑みてなされたものであって、暗いシーンにおける照明光の光特性の変化を抑制しつつ、照明光の光量を制御することができる内視鏡用光源装置を提供することを目的とする。
【課題を解決するための手段】
【０００７】
上述した課題を解決し、目的を達成するために、本発明にかかる内視鏡用光源装置は、内視鏡に供給する第１の光を出射する第１の発光部と、前記第１の光と同じ色成分、かつ第１の発光部よりも調光分解能が低い第２の光を出射する第２の発光部であって、前記第１の光とともに前記内視鏡に供給する第２の光を出射する第２の発光部と、前記内視鏡に光を供給する際、前記第１の発光部に前記第１の光を出射させた後、該第１の発光部に前記第１の光を出射させた状態で、設定された光量に応じて前記第２の発光部に前記第２の光を出射させる照明制御部と、を備えることを特徴とする。【０００８】
また、本発明にかかる内視鏡用光源装置は、上記発明において、前記第１の発光部は、前記第１の光をそれぞれ出射する第１および第２の光源を有し、前記照明制御部は、前記第１および第２の光源の少なくとも一方の光源を点灯させて前記第１の光を前記内視鏡に供給することを特徴とする。【０００９】
また、本発明にかかる内視鏡用光源装置は、上記発明において、前記第２の発光部は、互いに異なる複数の部分発光部を有し、前記照明制御部は、前記内視鏡に光を供給する際には、前記第１の発光部に前記第１の光を出射させた後、設定された光量に応じて、予め設定された順に、前記部分発光部の光源を点灯させて前記第２の光を出射させ、前記内視鏡への光の供給を停止する際には、点灯順とは逆の順に、前記部分発光部の光源を消灯させた後、前記第１の発光部に前記第１の光を消灯させることを特徴とする。【００１０】
また、本発明にかかる内視鏡用光源装置は、上記発明において、前記照明制御部は、各部分発光部における光源の点灯時間が平準化する順に、各光源の点灯および消灯を制御することを特徴とする。【００１１】
また、本発明にかかる内視鏡用光源装置は、上記発明において、前記第１の発光部は、前記第１の光を出射する複数の半導体レーザーを有し、前記第２の発光部は、各々が前記第２の光を出射する半導体レーザーを有することを特徴とする。【００１２】
また、本発明にかかる内視鏡用光源装置は、上記発明において、前記第２の発光部は、互いに異なる複数の部分発光部を有し、前記照明制御部は、前記内視鏡に光を供給する際、前記第１の発光部に前記第１の光を出射させた後、前記複数の部分発光部における稼動率に応じて当該複数の部分発光部における点灯順を入れ替えた前記第２の光を出射させることを特徴とする。【００１３】
また、本発明にかかる内視鏡用光源装置は、内視鏡に供給する第１の光を出射する第１の発光部と、前記第１の光と同じ色成分の第２の光を出射する、互いに異なる複数の部分発光部を有し、前記第１の光とともに前記第２の光を前記内視鏡に供給する第２の発光部と、前記内視鏡に光を供給する際、前記第１の発光部に前記第１の光を出射させた後、前記複数の部分発光部における稼動率に応じて当該複数の部分発光部における点灯順を入れ替えた前記第２の光を出射させる照明制御部と、を備えることを特徴とする。
【発明の効果】
【００１４】
本発明によれば、暗いシーンにおける照明光の光特性の変化を抑制しつつ、照明光の光量を制御することができるという効果を奏する。
【図面の簡単な説明】
【００１５】
【図１】図１は、本発明の実施の形態１にかかる内視鏡システムの概略構成を示す図である。
【図２】図２は、本発明の実施の形態１にかかる内視鏡システムの概略構成を示すブロック図である。
【図３】図３は、本発明の実施の形態１にかかる内視鏡システムが備える光源装置の光源の配置を説明する図である。
【図４】図４は、本発明の実施の形態１にかかる内視鏡システムが備える光源装置の光源の点灯順を説明する図である。
【図５】図５は、本発明の実施の形態１にかかる内視鏡システムが備える光源装置の光源の消灯順を説明する図である。
【図６】図６は、本発明の実施の形態２にかかる内視鏡システムが備える光源装置の光源の配置を説明する図である。
【図７】図７は、本発明の実施の形態２にかかる内視鏡システムが備える光源装置の第１の点灯モードにおける光源の点灯順を説明する図である。
【図８】図８は、本発明の実施の形態２にかかる内視鏡システムが備える光源装置の第１の点灯モードにおける光源の消灯順を説明する図である。
【図９】図９は、本発明の実施の形態２にかかる内視鏡システムが備える光源装置の第２の点灯モードにおける光源の点灯順を説明する図である。
【図１０】図１０は、本発明の実施の形態２にかかる内視鏡システムが備える光源装置の第２の点灯モードにおける光源の消灯順を説明する図である。
【発明を実施するための形態】
【００１６】
以下、本発明を実施するための形態（以下、「実施の形態」という）を説明する。実施の形態では、本発明にかかる内視鏡用光源装置を含むシステムの一例として、患者等の被検体内の画像を撮像して表示する医療用の内視鏡システムについて説明する。また、この実施の形態により、この発明が限定されるものではない。さらに、図面の記載において、同一部分には同一の符号を付して説明する。
【００１７】
（実施の形態１）
図１は、本発明の実施の形態１にかかる内視鏡システムの概略構成を示す図である。図２は、本実施の形態１にかかる内視鏡システムの概略構成を示すブロック図である。
【００１８】
図１および図２に示す内視鏡システム１は、被検体内に先端部を挿入することによって被検体の体内画像を撮像する内視鏡２と、内視鏡２の先端から出射する照明光を発生する光源装置３と、内視鏡２が撮像した撮像信号に所定の信号処理を施すとともに、内視鏡システム１全体の動作を統括的に制御する処理装置４と、処理装置４の信号処理により生成された体内画像を表示する表示装置５と、を備える。
【００１９】
内視鏡２は、可撓性を有する細長形状をなす挿入部２１と、挿入部２１の基端側に接続され、各種の操作信号の入力を受け付ける操作部２２と、操作部２２から挿入部２１が延びる方向と異なる方向に延び、光源装置３および処理装置４に接続する各種ケーブルを内蔵するユニバーサルコード２３と、を備える。
【００２０】
挿入部２１は、光を受光して光電変換することにより信号を生成する画素が２次元状に配列された撮像素子２４４を内蔵した先端部２４と、複数の湾曲駒によって構成された湾曲自在な湾曲部２５と、湾曲部２５の基端側に接続され、可撓性を有する長尺状の可撓管部２６と、を有する。挿入部２１は、被検体の体腔内に挿入され、外光の届かない位置にある生体組織などの被写体を撮像素子２４４によって撮像する。
【００２１】
先端部２４は、グラスファイバ等を用いて構成されて光源装置３が発光した光の導光路をなすライトガイド２４１と、ライトガイド２４１の先端に設けられた照明レンズ２４２と、集光用の光学系２４３と、光学系２４３の結像位置に設けられ、光学系２４３が集光した光を受光して電気信号に光電変換して所定の信号処理を施す撮像素子２４４（撮像部）とを有する。
【００２２】
光学系２４３は、一または複数のレンズを用いて構成され、画角を変化させる光学ズーム機能および焦点を変化させるフォーカス機能を有する。
【００２３】
撮像素子２４４は、光学系２４３からの光を光電変換して電気信号（画像信号）を生成する。具体的には、撮像素子２４４は、光量に応じた電荷を蓄積するフォトダイオードや、フォトダイオードから転送される電荷を電圧レベルに変換するコンデンサなどをそれぞれ有する複数の画素がマトリックス状に配列され、各画素が光学系２４３からの光を光電変換して電気信号を生成する受光部２４４ａと、受光部２４４ａの複数の画素のうち読み出し対象として任意に設定された画素が生成した電気信号を順次読み出して、画像信号として出力する読み出し部２４４ｂとを有する。撮像素子２４４は、例えばＣＣＤ（Charge  Coupled  Device）イメージセンサや、ＣＭＯＳ（Complementary  Metal  Oxide  Semiconductor）イメージセンサを用いて実現される。
【００２４】
なお、内視鏡２は、撮像素子２４４が各種動作を実行するための実行プログラム及び制御プログラムや、内視鏡２の識別情報を含むデータを記憶するメモリを有する（図示せず）。識別情報には、内視鏡２の固有情報（ＩＤ）、年式、スペック情報、および伝送方式等が含まれる。また、メモリは、撮像素子２４４が生成した画像データ等を一時的に記憶してもよい。
【００２５】
操作部２２は、湾曲部２５を上下方向および左右方向に湾曲させる湾曲ノブ２２１と、被検体の体腔内に生検鉗子、電気メスおよび検査プローブ等の処置具を挿入する処置具挿入部２２２と、処理装置４に加えて、送気手段、送水手段、画面表示制御等の周辺機器の操作指示信号を入力する操作入力部である複数のスイッチ２２３と、を有する。処置具挿入部２２２から挿入される処置具は、先端部２４の処置具チャンネル（図示せず）を経由して開口部（図示せず）から表出する。
【００２６】
ユニバーサルコード２３は、ライトガイド２４１と、一または複数の信号線をまとめた集合ケーブル２４５と、を少なくとも内蔵している。集合ケーブル２４５は、撮像信号を伝送するための信号線や、撮像素子２４４を駆動するための駆動信号を伝送するための信号線、内視鏡２（撮像素子２４４）に関する固有情報などを含む情報を送受信するための信号線を含む。なお、本実施の形態では、信号線を用いて電気信号を伝送するものとして説明するが、光信号を伝送するものであってもよいし、無線通信により内視鏡２と処理装置４との間で信号を伝送するものであってもよい。
【００２７】
続いて、光源装置３の構成について説明する。光源装置３は、光源部３１と、照明制御部３２と、を備える。
【００２８】
光源部３１は、互いに異なる波長帯域を有する複数の照明光を出射する複数の光源や、複数のレンズ等を用いて構成され、各光源の駆動によって所定の波長帯域の光を含む照明光を出射する。具体的に、光源部３１は、光源ドライバ３１０と、３９０〜４９５ｎｍの波長帯域の光（青色照明光）を出射する第１光源群３１１Ｂと、４９５〜５９０ｎｍの波長帯域の光（緑色照明光）を出射する第２光源群３１１Ｇと、５９０〜７５０ｎｍの波長帯域の光（赤色照明光）を出射する第３光源群３１１Ｒと、各光源が出射する照明光をそれぞれ集光する第１レンズ（第１レンズ３１２Ｂ、３１２Ｇ、３１２Ｒ）と、第１レンズを通過した照明光の光量をそれぞれ検出する光量センサ（光量センサ３１３Ｂ、３１３Ｇ、３１３Ｒ）と、光量センサを通過した照明光をそれぞれ集光する第２レンズ（第２レンズ３１４Ｂ、３１４Ｇ、３１４Ｒ）と、第１光源群３１１Ｂが出射する波長帯域の光を折り曲げるとともに、他の波長帯域の光を透過するダイクロイックミラー３１５と、第２光源群３１１Ｇが出射する波長帯域の光を折り曲げるとともに、他の波長帯域の光を透過するダイクロイックミラー３１６と、各光源が出射した波長をライトガイド２４１に導光するレンズ３１７とを有する。各光源群は、複数の半導体レーザーや、複数のＬＥＤ光源等を用いて実現される。ダイクロイックミラー３１５、３１６は、光源群からの光を折り曲げて、同じ光軸上を進行させる。
各光量センサには、拡散板が設けられ、入射した照明光を拡散して出射する。光量センサでは、拡散板を通過する前（または後）の光の一部を取得して、その光量値を出力するか、取得した光の光量値から、光源が出射した光の光量を推定した値を出力する。
なお、光源には、駆動時に発生した熱を冷却する冷却機構が設けられる。冷却機構は、ペルチェ素子や、ヒートシンクなどを用いて構成される。
【００２９】
光源ドライバ３１０は、照明制御部３２の制御のもと、各光源群に対して電流を供給することにより、光源に光を出射させる。
光源部３１では、第１光源群３１１Ｂ、第２光源群３１１Ｇ、第３光源群３１１Ｒにそれぞれ異なるタイミングで照明光を出射させて、単一の色の照明光を外部に出射させるか、すべての光源から光を出射させて白色の照明光を外部に出射させる。
【００３０】
照明制御部３２は、制御部４４からの制御信号（調光信号）に基づいて、各光源に供給する電力量を制御するとともに、各光源の駆動タイミングを制御する。
【００３１】
次に、処理装置４の構成について説明する。処理装置４は、画像処理部４１と、同期信号生成部４２と、入力部４３と、制御部４４と、記憶部４５と、を備える。
【００３２】
画像処理部４１は、内視鏡２から、撮像素子２４４が撮像した各色の照明光の画像データを受信する。画像処理部４１は、内視鏡２からアナログの画像データを受信した場合はＡ／Ｄ変換を行ってデジタルの撮像信号を生成する。また、画像処理部４１は、内視鏡２から光信号として画像データを受信した場合は光電変換を行ってデジタルの画像データを生成する。
【００３３】
画像処理部４１は、内視鏡２から受信した画像データに対して所定の画像処理を施して画像を生成して表示装置５へ出力する。ここで、所定の画像処理とは、同時化処理、階調補正処理および色補正処理等である。同時化処理は、光源部３１がＲ照明光の照射時に撮像素子２４４が生成した画像データに基づくＲ画像データ、光源部３１がＧ照明光の照射時に撮像素子２４４が生成した画像データに基づくＧ画像データ、および光源部３１がＢ照明光の照射時に撮像素子２４４が生成した画像データに基づくＢ画像データの各々を同時化する処理である。階調補正処理は、画像データに対して階調の補正を行う処理である。色補正処理は、画像データに対して色調補正を行う処理である。画像処理部４１は、上述した画像処理により生成された体内画像を含む処理後の撮像信号（以下、単に撮像信号ともいう）を生成する。なお、画像処理部４１は、画像の明るさに応じてゲイン調整してもよい。画像処理部４１は、ＣＰＵ（Central  Processing  Unit）等の汎用プロセッサやＡＳＩＣ（Application  Specific  Integrated  Circuit）等の特定の機能を実行する各種演算回路等の専用プロセッサを用いて構成される。
【００３４】
また、画像処理部４１は、Ｒ画像データ、Ｇ画像データおよびＢ画像データを保持するフレームメモリを有する構成としてもよい。
【００３５】
同期信号生成部４２は、処理装置４の動作の基準となるクロック信号（同期信号）を生成するとともに、生成した同期信号を光源装置３や、画像処理部４１、制御部４４、内視鏡２へ出力する。ここで、同期信号生成部４２が生成する同期信号は、水平同期信号と垂直同期信号とを含む。
このため、光源装置３、画像処理部４１、制御部４４、内視鏡２は、生成された同期信号によって、互いに同期をとって動作する。
【００３６】
入力部４３は、キーボード、マウス、スイッチ、タッチパネルを用いて実現され、内視鏡システム１の動作を指示する動作指示信号等の各種信号の入力を受け付ける。なお、入力部４３は、操作部２２に設けられたスイッチや、外部のタブレット型のコンピュータなどの可搬型端末を含んでいてもよい。
【００３７】
制御部４４は、撮像素子２４４および光源装置３を含む各構成部の駆動制御、および各構成部に対する情報の入出力制御などを行う。制御部４４は、記憶部４５に記憶されている撮像制御のための制御情報データ（例えば、読み出しタイミングなど）を参照し、集合ケーブル２４５に含まれる所定の信号線を経由して駆動信号として撮像素子２４４へ送信する。制御部４４は、ＣＰＵ等の汎用プロセッサやＡＳＩＣ等の特定の機能を実行する各種演算回路等の専用プロセッサを用いて構成される。
【００３８】
記憶部４５は、内視鏡システム１を動作させるための各種プログラム、および内視鏡システム１の動作に必要な各種パラメータ等を含むデータを記憶する。また、記憶部４５は、処理装置４の識別情報を記憶する。ここで、識別情報には、処理装置４の固有情報（ＩＤ）、年式およびスペック情報等が含まれる。また、記憶部４５は、光源装置３が備える光源の配置等に関する情報を記憶する照明情報記憶部４５１を有する。照明情報記憶部４５１には、例えば、設定される光量（この場合は光源装置３が発する照明光の光量）に応じた光源の発光順が記憶されている。
【００３９】
また、記憶部４５は、処理装置４の画像取得処理方法を実行するための画像取得処理プログラムを含む各種プログラムを記憶する。各種プログラムは、ハードディスク、フラッシュメモリ、ＣＤ−ＲＯＭ、ＤＶＤ−ＲＯＭ、フレキシブルディスク等のコンピュータ読み取り可能な記録媒体に記録して広く流通させることも可能である。なお、上述した各種プログラムは、通信ネットワークを経由してダウンロードすることによって取得することも可能である。ここでいう通信ネットワークは、例えば既存の公衆回線網、ＬＡＮ（Local  Area  Network）、ＷＡＮ（Wide  Area  Network）などによって実現されるものであり、有線、無線を問わない。
【００４０】
以上の構成を有する記憶部４５は、各種プログラム等が予めインストールされたＲＯＭ（Read  Only  Memory）、および各処理の演算パラメータやデータ等を記憶するＲＡＭ（Random  Access  Memory）やハードディスク等を用いて実現される。
【００４１】
表示装置５は、映像ケーブルを経由して処理装置４（画像処理部４１）から受信した画像信号に対応する表示画像を表示する。表示装置５は、液晶または有機ＥＬ（Electro  Luminescence）等のモニタを用いて構成される。
【００４２】
続いて、光源装置３が備える光源の構成について、図３を参照して説明する。図３は、本発明の実施の形態１にかかる内視鏡システムが備える光源装置の光源の配置を説明する図である。各光源群は、それぞれ同じ配置で複数の光源が設けられている。以下、第１光源群３１１Ｂにおける光源の配置について、図３を参照して説明する。なお、第２光源群３１１Ｇおよび第３光源群３１１Ｒについても同様に光源が配置されている。
【００４３】
第１光源群３１１Ｂは、一つの光源からなる第１光源３３１（第１の発光部）と、二つの光源を一組として構成される第２光源３３２〜第５光源３３５とを有する。第２光源３３２〜第５光源３３５は、第１光源３３１を中心とする同心円上に配置される。第２光源３３２〜第５光源３３５は、それぞれが部分発光部に相当し、全体として第２の発光部を構成する。第１光源３３１から発せられる光は、第１の光に相当する。また、第２光源３３２〜第５光源３３５が発する光は、第２の光に相当する。なお、第２の光は、第２光源３３２〜第５光源３３５のうちの少なくとも一つの光源から発せられた光によって構成され、一つの光源（例えば第２光源３３２のみ）が発する光によって構成される場合もあれば、複数の光源（例えば第２光源３３２〜第５光源３３５すべて）がそれぞれ発する光を合わせて構成される場合もある。
【００４４】
第１光源３３１は、半導体レーザーを用いて構成される。第１光源３３１は、最大発光量が、第２光源３３２〜第５光源３３５の最大発光量よりも小さく、微調整用の光源として機能する。
【００４５】
第２光源３３２は、半導体レーザーを用いて構成される二つの光源（光源３３２Ａ、３３２Ｂ）を有する。光源３３２Ａ、３３２Ｂは、第１光源３３１を通過する直線上にそれぞれ配置される。この直線は、第１光源３３１を中心とする円の径方向に延びる直線である。図３では、第１光源３３１側から光源３３２Ａ、３３２Ｂの順に配置される。
【００４６】
第３光源３３３は、半導体レーザーを用いて構成される二つの光源（光源３３３Ａ、３３３Ｂ）を有する。光源３３３Ａ、３３３Ｂは、第１光源３３１を通過する直線上にそれぞれ配置される。この直線は、第１光源３３１を中心とする円の径方向に延びる直線であって、第２光源３３２が配置される直線とは直交する直線である。図３では、第１光源３３１側から光源３３３Ａ、３３３Ｂの順に配置される。
【００４７】
第４光源３３４は、半導体レーザーを用いて構成される二つの光源（光源３３４Ａ、３３４Ｂ）を有する。光源３３４Ａ、３３４Ｂは、第１光源３３１を通過する直線上にそれぞれ配置される。この直線は、第１光源３３１を中心とする円の径方向に延びる直線であって、第２光源３３２を通過する直線である。換言すれば、第４光源３３４は、第１光源３３１に対して、第２光源３３２の反対側に設けられている。図３では、第１光源３３１側から光源３３４Ａ、３３４Ｂの順に配置される。
【００４８】
第５光源３３５は、半導体レーザーを用いて構成される二つの光源（光源３３５Ａ、３３５Ｂ）を有する。光源３３５Ａ、３３５Ｂは、第１光源３３１を通過する直線上にそれぞれ配置される。この直線は、第１光源３３１を中心とする円の径方向に延びる直線であって、第３光源３３３を通過する直線である。換言すれば、第５光源３３５は、第１光源３３１に対して、第３光源３３３の反対側に設けられている。図３では、第１光源３３１側から光源３３５Ａ、３３５Ｂの順に配置される。
【００４９】
第１光源群３１１Ｂでは、光源３３２Ａ、３３３Ａ、３３４Ａ、３３５Ａが同心円状に配置され、光源３３２Ｂ、３３３Ｂ、３３４Ｂ、３３５Ｂが同心円状に配置される。
【００５０】
また、第１光源群３１１Ｂでは、第１光源３３１の調光分解能が、第２光源３３２〜第５光源３３５の調光分解能よりも高い。逆にいうと、第２光源３３２〜第５光源３３５は、二つの光源が同時に点灯する構成のために、第２光源３３２〜第５光源３３５の調光分解能が、第１光源３３１の調光分解能よりも低い。ここでいう調光分解能とは、制御回路における調光値の刻み幅が同じ場合の明るさをさし、明るさが小さいほど分解能が高い。第１光源３３１の方が、第２光源３３２〜第５光源３３５よりも、明るさの調節幅が小さく、微調整することができる。
【００５１】
照明制御部３２は、予め設定された順に、各光源を点灯、消灯する。本実施の形態１において、照明制御部３２は、第１光源３３１、第２光源３３２、第３光源３３３、第４光源３３４、第５光源３３５の順に点灯し、第５光源３３５、第４光源３３４、第３光源３３３、第２光源３３２、第１光源３３１の順に消灯する。照明制御部３２は、点灯順とは逆の順に光源を消灯する。なお、設定される光量によって、後段の光源が点灯されない場合がある。
【００５２】
図４は、本発明の実施の形態１にかかる内視鏡システムが備える光源装置の光源の点灯順を説明する図である。図４は、すべての光源が点灯する場合を示している。図４では、色抜きの丸が点灯している状態を示し、ハッチングがかかっている丸が消灯している状態を示している。照明制御部３２の制御のもと、まず、第１光源３３１が点灯する（図４の（ａ）参照）。続いて、第２光源３３２が点灯する（図４の（ｂ）参照）。次に、第３光源３３３が点灯し（図４の（ｃ）参照）、その後、第４光源３３４が点灯する（図４の（ｄ）参照）。最後に、第５光源３３５が点灯する（図４の（ｅ）参照）。
【００５３】
図５は、本発明の実施の形態１にかかる内視鏡システムが備える光源装置の光源の消灯順を説明する図である。図５は、図４に示した順ですべての光源が点灯した場合の消灯順を示している。図５では、図４と同様に、色抜きの丸が点灯している状態を示し、ハッチングがかかっている丸が消灯している状態を示している。照明制御部３２の制御のもと、まず、すべての光源が点灯した状態（図５の（ａ）参照）から、第５光源３３５が消灯する（図５の（ｂ）参照）。続いて、第４光源３３４が消灯する（図５の（ｃ）参照）。次に、第３光源３３３が消灯し（図５の（ｄ）参照）、その後、第２光源３３２が消灯する（図５の（ｅ）参照）。最後に、第１光源３３１が消灯する（図５の（ｆ）参照）。
【００５４】
以上説明した実施の形態１では、同心円状に配置される八つの光源と、その中心に配置される一つの光源とを有し、一つの色成分の照明光を出射する構成において、八つの光源を４つの群に分け、設定される光量に応じて点灯を制御するようにした。本実施の形態１によれば、最初に点灯する光源が第１光源３３１に固定されているため、暗いシーンにおける照明光の光特性の変化を抑制しつつ、照明光の光量を制御することができる。また、本実施の形態１によれば、第２光源３３２〜第５光源３３５における各光源を一括で制御しているため、制御単位を削減でき、その結果、複数の光源を有する構成において、光源にかかる回路規模の大型化を抑制することができる。
【００５５】
（実施の形態２）
次に、本発明の実施の形態２について、図６を参照して説明する。本実施の形態２に係る内視鏡システムは、上述した内視鏡システム１の光源装置３における光源の配設態様を変えた以外は、同じ構成である。以下、実施の形態１とは構成が異なる光源の配設態様、およびそれに伴う照明制御について説明する。図６は、本発明の実施の形態２にかかる内視鏡システムが備える光源装置の光源の配置を説明する図である。以下、第１光源群３１１Ｂにおける光源の配置について、図６を参照して説明する。なお、実施の形態１と同様、第２光源群３１１Ｇおよび第３光源群３１１Ｒについても同様に光源が配置されている。
【００５６】
本実施の形態２に係る第１光源群３１１Ｂは、二つの光源を一組として構成される第１光源３３６（第１の発光部）と、二つの光源を一組として構成される第２光源３３２〜第５光源３３５とを有する。第２光源３３２〜第５光源３３５は、第１光源３３６を中心とする同心円上に配置される。以下、実施の形態１とは構成が異なる第１光源３３６について説明する。
【００５７】
第１光源３３６は、半導体レーザーを用いて構成される二つの光源（光源３３６Ａ、３３６Ｂ）を有する。第１光源３３６では、光源３３６Ａ、３３６Ｂのうちのいずれか一方の光源のみが点灯する。第１光源３３６では、光源３３６Ａまたは光源３３６Ｂから第１の光が出射される。このため、第１光源３３６は、最大発光量が、第２光源３３２〜第５光源３３５の最大発光量よりも小さく、微調整用の光源として機能する。
光源３３６Ａ、３３６Ｂは、第２光源３３２〜第５光源３３５が配置される円の中心を通過し、かつ第３光源３３３および第５光源３３５が配置される直線上にそれぞれ配置される。なお、光源３３６Ａ、３３６Ｂは、第２光源３３２および第４光源３３４が配置される直線上に配置されてもよいし、第２光源３３２〜第５光源３３５が配置される直線とは異なる直線に配置されてもよい。
【００５８】
第１光源群３１１Ｂでは、二つの光源（光源３３６Ａ、３３６Ｂ）のうちの一方の光源のみが点灯するため、第１光源の調光分解能が、第２光源３３２〜第５光源３３５の調光分解能よりも高い。
【００５９】
照明制御部３２は、予め設定された順に、各光源を点灯、消灯する。具体的に、照明制御部３２は、二つの点灯モードのうちのいずれかのモードに応じて光源を点灯、消灯する。例えば、第１の点灯モードは、光源３３６Ａ、第２光源３３２、第３光源３３３、第４光源３３４、第５光源３３５の順に点灯し、第５光源３３５、第４光源３３４、第３光源３３３、第２光源３３２、光源３３６Ａの順に消灯する。
【００６０】
図７は、本発明の実施の形態２にかかる内視鏡システムが備える光源装置の第１の点灯モードにおける光源の点灯順を説明する図である。図７は、すべての光源が点灯する場合を示している。以下、色抜きの丸が点灯している状態を示し、ハッチングがかかっている丸が消灯している状態を示している。照明制御部３２の制御のもと、まず、第１光源３３６の光源３３６Ａが点灯する（図７の（ａ）参照）。続いて、第２光源３３２が点灯する（図７の（ｂ）参照）。次に、第３光源３３３が点灯し（図７の（ｃ）参照）、その後、第４光源３３４が点灯する（図７の（ｄ）参照）。最後に、第５光源３３５が点灯する（図７の（ｅ）参照）。なお、第１の点灯モードでは、第１光源３３６の光源３３６Ｂは点灯しない。
【００６１】
図８は、本発明の実施の形態２にかかる内視鏡システムが備える光源装置の第１の点灯モードにおける光源の消灯順を説明する図である。図８は、図７に示した順ですべての光源が点灯した場合の消灯順を示している。照明制御部３２の制御のもと、まず、図７に示す点灯順ですべての光源が点灯した状態（図８の（ａ）参照）から、第５光源３３５が消灯する（図８の（ｂ）参照）。続いて、第４光源３３４が消灯する（図８の（ｃ）参照）。次に、第３光源３３３が消灯し（図８の（ｄ）参照）、その後、第２光源３３２が消灯する（図８の（ｅ）参照）。最後に、光源３３６Ａが消灯する（図８の（ｆ）参照）。
【００６２】
これに対し、第２の点灯モードは、光源３３６Ｂ、第５光源３３５、第４光源３３４、第３光源３３３、第２光源３３２の順に点灯し、第２光源３３２、第３光源３３３、第４光源３３４、第５光源３３５、光源３３６Ｂの順に消灯する。なお、設定される光量によって、後段の光源が点灯されない場合がある。
【００６３】
図９は、本発明の実施の形態２にかかる内視鏡システムが備える光源装置の第２の点灯モードにおける光源の点灯順を説明する図である。図９は、すべての光源が点灯する場合を示している。照明制御部３２の制御のもと、まず、第１光源３３６の光源３３６Ｂが点灯する（図９の（ａ）参照）。続いて、第５光源３３５が点灯する（図９の（ｂ）参照）。次に、第４光源３３４が点灯し（図９の（ｃ）参照）、その後、第３光源３３３が点灯する（図９の（ｄ）参照）。最後に、第２光源３３２が点灯する（図９の（ｅ）参照）。なお、第２の点灯モードでは、第１光源３３６の光源３３６Ａは点灯しない。
【００６４】
図１０は、本発明の実施の形態２にかかる内視鏡システムが備える光源装置の第２の点灯モードにおける光源の消灯順を説明する図である。図１０は、図９に示した順ですべての光源が点灯した場合の消灯順を示している。照明制御部３２の制御のもと、まず、図９に示す点灯順ですべての光源が点灯した状態（図１０の（ａ）参照）から、第２光源３３２が消灯する（図１０の（ｂ）参照）。続いて、第３光源３３３が消灯する（図１０の（ｃ）参照）。次に、第４光源３３４が消灯し（図１０の（ｄ）参照）、その後、第５光源３３５が消灯する（図１０の（ｅ）参照）。最後に、光源３３６Ｂが消灯する（図１０の（ｆ）参照）。
【００６５】
ここで、第１の点灯モードで継続して光源を点灯させると、第２光源３３２〜第５光源３３５の稼働率は、大きい方から順に、第２光源３３２、第３光源３３３、第４光源３３４、第５光源３３５となる。例えば、第１光源３３６（光源３３６Ａまたは光源３３６Ｂ）の稼働率を１００％とし、第１光源３３１〜第５光源３３５が均等なタイミングで点灯、消灯した場合の第２光源３３２の稼働率を８０％、第３光源３３３の稼働率を６０％、第４光源３３４の稼働率を４０％、第５光源稼働率を２０％とみなす。この場合、最も稼働率の高い第２光源３３２と、最も稼働率の低い第５光源３３５とを組とし、中間の稼働率の第３光源３３３および第４光源３３４を組として、第２の点灯モードでは、第１の点灯モードに対して、組ごとに点灯順を入れ替える。点灯順を入れ替えた第２の点灯モードと、第１の点灯モードとを適宜切り替えることによって、各組において光源の稼働率が平準化される。その結果、第２光源３３２〜第５光源３３５の稼働率（点灯時間）を平準化するこができる。
【００６６】
第１および第２の点灯モードは、制御部４４の制御のもとで切り替えられるが、照明制御に要した時間や、駆動日数、光源３３６Ａ（または光源３３６Ｂ）の寿命のいずれかがトリガとなる。切替制御する条件は、予め照明情報記憶部４５１に記憶される。
【００６７】
以上説明した実施の形態２では、実施の形態１と同様、同心円状に配置される八つの光源と、その中心に配置される一つの光源とを有し、一つの色成分の照明光を出射する構成において、八つの光源を４つの群に分け、設定される光量に応じて点灯を制御するようにした。本実施の形態２によれば、最初に点灯する光源が第１光源３３６に固定されているため、暗いシーンにおける照明光の光特性の変化を抑制しつつ、照明光の光量を制御することができる。また、本実施の形態２によれば、第２光源３３２〜第５光源３３５における各光源を一括で制御しているため、制御単位を削減でき、その結果、回路規模の大型化を抑制することができる。
【００６８】
また、実施の形態２では、第１光源３３６において光源を二つ設けて、点灯する光源を所定のタイミングで切り替えるとともに、最大稼働率に応じて組とした光源（ここでは第２光源３３２および第５光源３３５、第３光源３３３および第４光源３３４）の点灯順を入れ替えるようにした。上述した点灯モードの切り替えによって、光源装置における光源全体としての寿命を長くすることができる。
【００６９】
さらに、実施の形態２では、稼働率に応じて、最大と最小の稼働率の光源を組として点灯順を制御する構成としたので、光源間の稼働率差を最小にした光源の点灯制御となり、光源の長寿命化をはかることができる。
ここで、駆動の都度、ランダムに抽出可能な機能（乱数）を用いて光源の組み合わせを決定してもよい。ランダムに組み合わせを決定する場合であっても、駆動回数を重ねることによって稼働率が平準化される。
【００７０】
なお、上述した実施の形態２では、第１光源群３１１Ｂにおいて、第１光源３３６の一方の光源（光源３３６Ａまたは光源３３６Ｂ）のみから光を出射するものとして説明したが、光源３３６Ａ、３３６Ｂの両方から光を出射させてもよい。この場合、例えば、各光源から出射される光は、第１光源３３６として出射する光の光量の１／２ずつとする。
【００７１】
また、上述した実施の形態２では、第１の点灯モードにおける稼働率に応じて、光源を組み合わせ、点灯順を入れ替えることによって、光源の長寿命化をはかっていたが、点灯する光源の優先を循環させてもよい。例えば、第２光源３３２を最優先に点灯させる点灯順、第３光源３３３を最優先に点灯させる点灯順、第４光源３３４を最優先に点灯させる点灯順、第５光源３３５を最優先に点灯させる点灯順を循環させる。優先する光源の切り替えは、例えば、上述した実施の形態２において説明した条件とする。
【００７２】
また、上述した実施の形態２において、光源３３６Ａ、３３６Ｂの両方から同時に光（第１の光）を出射させてもよい。この場合、第１光源３３６と、第２光源３３２〜第５光源３３５とは、調光分解能が同じになる。この場合であっても、最初に点灯する光源が第１光源３３６に固定され、１０個の光源に対して２個を一組として制御するため、暗いシーンにおける照明光の光特性の変化を抑制しつつ、制御単位を減らすことができる。さらに、求められる光量の光を出射できれば、第１光源３３６、第２光源３３２〜第５光源３３５の各々の光源の数を一つとしてもよい。
【００７３】
また、上述した実施の形態１、２では、第１光源群３１１Ｂが、第１光源３３１（または３３６）と、その周囲に設けられる四つの光源（第２光源３３２〜第５光源３３５）を有するものとして説明したが、例えば、第１光源よりも最大発光量が大きく、第１光源よりも調光分解能の低いものであれば、第１光源（第２の発光部）の周囲に設ける光源（第１の発光部）は一つであってもよい。また、第２光源３３２〜第５光源３３５は、二つの光源を有するものとして説明したが、一つの光源を有するものであってもよいし、三つ以上の光源を有するものであってもよい。さらに、ライトガイドに供給できれば、第１光源〜第５光源の配置は、上述した図３、４に示す配置に限らない。
【００７４】
また、上述した実施の形態１、２では、光源装置３が内視鏡２とは別体で構成されているものとして説明したが、例えば、内視鏡２の先端に半導体レーザーを設けるなど、光源装置を内視鏡２に設けた構成であってもよい。さらに、内視鏡２に処理装置４の機能を付与してもよい。
【００７５】
また、上述した実施の形態１、２では、光源装置３が、処理装置４、３Ａとは別体であるものとして説明したが、光源装置３および処理装置４が一体であって、例えば処理装置４の内部に光源部３１および照明制御部３２が設けられているものであってもよい。
【００７６】
また、上述した実施の形態１、２において、光源装置３は、半導体レーザーに換えて、ＬＥＤ光源を用いて構成してもよいし、白色光源（例えばキセノンランプやハロゲンランプ）と、白色光源が照射する照明光の光路上に、赤色の波長帯域、緑色の波長帯域および青色の波長帯域の各々を透過させる３つの透過フィルタを有する回転フィルタと、を設け、回転フィルタを回転させることによって、赤色、緑色および青色の各々の波長帯域を含む照明光を照射するようにしてもよい。
【００７７】
また、上述した実施の形態１、２では、本発明にかかる内視鏡システムが、観察対象が被検体内の生体組織などである軟性の内視鏡２を用いた内視鏡システム１であるものとして説明したが、硬性の内視鏡や、材料の特性を観測する工業用の内視鏡、カプセル型の内視鏡、ファイバースコープ、光学視管などの光学内視鏡の接眼部にカメラヘッドを接続したものを用いた内視鏡システムであっても適用できる。
【産業上の利用可能性】
【００７８】
以上のように、本発明にかかる内視鏡用光源装置は、暗いシーンにおける照明光の光特性の変化を抑制しつつ、照明光の光量を制御するのに有用である。
【符号の説明】
【００７９】
１  内視鏡システム
２  内視鏡
３  光源装置
４  処理装置
５  表示装置
２１  挿入部
２２  操作部
２３  ユニバーサルコード
２４  先端部
２５  湾曲部
２６  可撓管部
３１  光源部
３２  照明制御部
４１  画像処理部
４２  同期信号生成部
４３  入力部
４４  制御部
４５  記憶部
３１１Ｂ  第１光源群
３１１Ｇ  第２光源群
３１１Ｒ  第３光源群
３３１、３３６  第１光源
３３２  第２光源
３３３  第３光源
３３４  第４光源
３３５  第５光源
３３２Ａ、３３２Ｂ、３３３Ａ、３３３Ｂ、３３４Ａ、３３４Ｂ、３３５Ａ、３３５Ｂ、３３６Ａ、３３６Ｂ  光源
４５１  照明情報記憶部
【図１】
2020003601.tif 000003
【図２】
2020003601.tif 000004
【図３】
2020003601.tif 000005
【図４】
2020003601.tif 000006
【図５】
2020003601.tif 000007
【図６】
2020003601.tif 000008
【図７】
2020003601.tif 000009
【図８】
2020003601.tif 000010
【図９】
2020003601.tif 000011
【図１０】
2020003601.tif 000012
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
第１の光を出射する第１の発光部と、
前記第１の光と同じ色成分である第２の光を出射する第２の発光部と、
前記第１の発光部に前記第１の光を出射させた後、該第１の発光部に前記第１の光を出射させた状態で、設定された光量に応じて前記第２の発光部に前記第２の光を出射させる照明制御部と、
を備えることを特徴とする光源装置。
【請求項２】
前記第２の発光部は、前記第１の発光部よりも調光分解能が低い、
ことを特徴とする請求項１に記載の光源装置。
【請求項３】
前記第１の発光部は、前記第１の光をそれぞれ出射する第１および第２の光源を有し、
前記照明制御部は、前記第１および第２の光源の少なくとも一方の光源を点灯させて前記第１の光を出射させる
ことを特徴とする請求項１に記載の光源装置。
【請求項４】
前記第２の発光部は、互いに異なる複数の部分発光部を有し、
前記照明制御部は、光を供給する際には、前記第１の発光部に前記第１の光を出射させた後、設定された光量に応じて、予め設定された順に、前記部分発光部の光源を点灯させて前記第２の光を出射させ、光の供給を停止する際には、点灯順とは逆の順に、前記部分発光部の光源を消灯させた後、前記第１の発光部に前記第１の光を消灯させる
ことを特徴とする請求項１に記載の光源装置。
【請求項５】
前記照明制御部は、各部分発光部における光源の点灯時間が平準化する順に、各光源の点灯および消灯を制御する
ことを特徴とする請求項４に記載の光源装置。
【請求項６】
前記第１の発光部は、前記第１の光を出射する複数の半導体レーザーを有し、
前記第２の発光部は、各々が前記第２の光を出射する半導体レーザーを有する
ことを特徴とする請求項４に記載の光源装置。
【請求項７】
前記第２の発光部は、互いに異なる複数の部分発光部を有し、
前記照明制御部は、光を供給する際、前記第１の発光部に前記第１の光を出射させた後、前記複数の部分発光部における稼動率に応じて当該複数の部分発光部における点灯順を入れ替えた前記第２の光を出射させる
ことを特徴とする請求項１に記載の光源装置。
【請求項８】
前記第２の発光部は、互いに異なる複数の部分発光部を有し、
前記複数の部分発光部は、同心円状に配置され、
前記第１の発光部は、前記同心円状の内側である中心部に配置される、
ことを特徴とする請求項１に記載の光源装置。
【請求項９】
前記照明制御部は、設定された光量に応じて、予め設定された順に、前記部分発光部の光源を点灯させて前記第２の光を出射させ、
前記第２の光の光量が前記設定された光量を満たした場合、未だ点灯していない前記部分発光部の点灯を中止する、
ことを特徴とする請求項４に記載の光源装置。
【請求項１０】
前記第２の発光部は、互いに異なる複数の部分発光部を有し、
前記照明制御部は、前記第１の発光部に前記第１の光を出射させた後、前記複数の部分発光部の稼働率に応じて当該複数の部分発光部における点灯順を入れ替えた前記第２の光を出射させる、
ことを特徴とする請求項１に記載の光源装置。
【請求項１１】
第１の光を出射する第１の発光部と、前記第１の光と同じ成分である第２の光を出射する第２の発光部とを備える光源の制御方法であって、
前記第１の発光部に前記第１の光を出射させ、
該第１の発光部に前記第１の光を出射させた状態で、設定された光量に応じて前記第２の発光部に前記第２の光を出射させる、
ことを特徴とする光源の制御方法。
【請求項１２】
前記第２の発光部は、互いに異なる複数の部分発光部を有し、
内視鏡へ光を供給する際には、前記第１の発光部に前記第１の光を出射させた後、設定された光量に応じて、予め設定された順に、前記部分発光部の光源を点灯させて前記第２の光を出射させ、
前記内視鏡への光の供給を停止する際には、点灯順とは逆の順に、前記部分発光部の光源を消灯させた後、前記第１の発光部に前記第１の光を消灯させる、
ことを特徴とする請求項１１に記載の光源の制御方法。
【請求項１３】
前記第２の発光部は、互いに異なる複数の部分発光部を有し、
内視鏡へ光を供給する際には、前記第１の発光部に前記第１の光を出射させた後、前記複数の部分発光部の稼働率に応じて当該複数の部分発光部における点灯順を入れ替えて前記第２の光を出射させる、
ことを特徴とする請求項１１に記載の光源の制御方法。
【請求項１４】
設定された光量に応じて、予め設定された順に、前記部分発光部の光源を点灯させて前記第２の光を出射させ、
前記第２の光の光量が、前記設定された光量を満たした場合、未だ点灯していない前記部分発光部の点灯を中止する、
ことを特徴とする請求項１２に記載の光源の制御方法。
【請求項１５】
前記第２の発光部は、互いに異なる複数の部分発光部を有し、
前記第１の発光部に前記第１の光を出射させた後、前記複数の部分発光部の稼働率に応じて当該複数の部分発光部における点灯順を入れ替えて前記第２の光を出射させる、
ことを特徴とする請求項１１に記載の光源の制御方法。
【請求項１６】
内視鏡と、
前記内視鏡に供給する第１の光を出射する第１の発光部と、前記第１の光と同じ色成分である第２の光を出射する第２の発光部と、前記第１の発光部に前記第１の光を出射させた後、該第１の発光部に前記第１の光を出射させた状態で、設定された光量に応じて前記第２の発光部に前記第２の光を出射させる照明制御部とを有する光源装置と、
を備えることを特徴とする内視鏡システム。
【手続補正３】
【補正対象書類名】明細書
【補正対象項目名】００４３
【補正方法】変更
【補正の内容】
【００４３】
第１光源群３１１Ｂは、一つの光源からなる第１光源３３１（第１の発光部）と、二つの光源を一組として構成される第２光源３３２〜第５光源３３５とを有する。第２光源３３２〜第５光源３３５は、第１光源３３１を中心とする同心円状に配置される。第２光源３３２〜第５光源３３５は、それぞれが部分発光部に相当し、全体として第２の発光部を構成する。第１光源３３１から発せられる光は、第１の光に相当する。また、第２光源３３２〜第５光源３３５が発する光は、第２の光に相当する。なお、第２の光は、第２光源３３２〜第５光源３３５のうちの少なくとも一つの光源から発せられた光によって構成され、一つの光源（例えば第２光源３３２のみ）が発する光によって構成される場合もあれば、複数の光源（例えば第２光源３３２〜第５光源３３５すべて）がそれぞれ発する光を合わせて構成される場合もある。
【手続補正４】
【補正対象書類名】明細書
【補正対象項目名】００５６
【補正方法】変更
【補正の内容】
【００５６】
本実施の形態２に係る第１光源群３１１Ｂは、二つの光源を一組として構成される第１光源３３６（第１の発光部）と、二つの光源を一組として構成される第２光源３３２〜第５光源３３５とを有する。第２光源３３２〜第５光源３３５は、第１光源３３６を中心とする同心円状に配置される。以下、実施の形態１とは構成が異なる第１光源３３６について説明する。
【国際調査報告】
2020003601.tif 000013
2020003601.tif 000014